【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
１ゲームに対して賭け数を設定することによりゲームを開始させることが可能となり、可変表示装置の表示結果が導出表示されることにより１ゲームが終了し、該可変表示装置の表示結果に応じて所定の入賞が発生可能であるスロットマシンにおいて、
遊技の進行を制御すると共に、遊技の進行状況に応じた制御情報を送信する手段であって、
１ゲーム毎に、前記入賞の発生を許容するかどうかを事前に決定する事前決定手段と、
前記事前決定手段による決定結果を示す事前決定情報を生成する事前決定情報生成手段と、
前記事前決定情報生成手段の生成した事前決定情報を前記制御情報として前記演出制御手段に送信する事前決定情報送信手段とを含む遊技制御手段と、
前記事前決定情報送信手段から送信された前記事前決定情報を受信し、該受信した事前決定情報に基づいて前記遊技制御手段とは独立して演出手段に演出を行わせる演出制御手段とを備え、
前記事前決定情報生成手段は、所定条件が成立したゲームにおいて、前記事前決定手段の決定結果とは異なる情報を示す事前決定情報を生成する
ことを特徴とするスロットマシン。
【請求項２】
前記事前決定手段によって許容される入賞態様は、複数種類あり、
前記所定条件は、前記事前決定手段が前記複数種類の入賞態様のうちの所定の種類の入賞態様を許容したゲームにおいて所定の確率で成立し、
前記事前決定情報生成手段は、前記所定条件が成立したゲームにおいて、前記事前決定手段が前記所定の種類の入賞態様を許容していないときに生成する事前決定情報と同一の事前決定情報を生成する
ことを特徴とする請求項１に記載のスロットマシン。
【請求項３】
１ゲームに対して賭け数を設定することによりゲームを開始させることが可能となり、可変表示装置の表示結果が導出表示されることにより１ゲームが終了し、該可変表示装置の表示結果に応じて所定の入賞が発生可能であるスロットマシンにおいて、
遊技の進行を制御すると共に、遊技の進行状況に応じた制御情報を送信する手段であって、
１ゲーム毎に、前記入賞の発生を許容するかどうかを事前に決定する事前決定手段と、
前記事前決定手段による決定結果を示す事前決定情報を生成する事前決定情報生成手段と、
前記事前決定情報生成手段の生成した事前決定情報を前記制御情報として前記演出制御手段に送信する事前決定情報送信手段とを含む遊技制御手段と、
前記事前決定情報送信手段から送信された前記事前決定情報を受信し、該受信した事前決定情報に基づいて前記遊技制御手段とは独立して演出手段に演出を行わせる演出制御手段とを備え、
前記事前決定情報送信手段は、所定条件が成立したゲームにおいて前記事前決定手段の決定結果に基づく事前決定情報を送信させず、該所定条件が成立していないゲームにおいて前記事前決定情報を送信させる事前決定情報送信制御手段を含む
ことを特徴とするスロットマシン。
【請求項４】
前記事前決定手段によって許容される入賞態様は、複数種類あり、
前記所定条件が成立した場合とは、前記事前決定手段により前記複数種類の入賞態様のいずれも許容しなかった場合と、前記事前決定手段により前記複数種類の入賞態様のうちの所定の種類の入賞態様を許容した場合とである
ことを特徴とする請求項１乃至３のいずれか１項に記載のスロットマシン。
【請求項５】
前記複数種類の入賞態様は、入賞に伴って遊技者に付与される有価価値の数が異なるものを含み、
前記所定の種類の入賞態様は、前記複数の入賞態様のうちで付与される有価価値の数が他の少なくとも１種類の入賞態様に比べて少ないものである
ことを特徴とする請求項４に記載のスロットマシン。
【請求項６】
前記複数種類の入賞態様は、前記事前決定手段によって許容される確率が異なる複数種類の小役入賞態様を含み、
前記所定の種類の入賞態様は、前記事前決定手段によって許容される確率が他の少なくとも１種類の小役入賞態様に比べて低い小役入賞態様である
ことを特徴とする請求項４または５に記載のスロットマシン。
【手続補正２】
【補正対象書類名】明細書
【補正対象項目名】０００８
【補正方法】変更
【補正の内容】
【０００８】
【課題を解決するための手段】
上記目的を達成するため、本発明の第１の観点にかかるスロットマシンは、
１ゲームに対して賭け数を設定することによりゲームを開始させることが可能となり、可変表示装置の表示結果が導出表示されることにより１ゲームが終了し、該可変表示装置の表示結果に応じて所定の入賞が発生可能であるスロットマシンにおいて、
遊技の進行を制御すると共に、遊技の進行状況に応じた制御情報を送信する手段であって、
１ゲーム毎に、前記入賞の発生を許容するかどうかを事前に決定する事前決定手段と、
前記事前決定手段による決定結果を示す事前決定情報を生成する事前決定情報生成手段と、
前記事前決定情報生成手段の生成した事前決定情報を前記制御情報として前記演出制御手段に送信する事前決定情報送信手段とを含む遊技制御手段と、
前記事前決定情報送信手段から送信された前記事前決定情報を受信し、該受信した事前決定情報に基づいて前記遊技制御手段とは独立して演出手段に演出を行わせる演出制御手段とを備え、
前記事前決定情報生成手段は、所定条件が成立したゲームにおいて、前記事前決定手段の決定結果とは異なる情報を示す事前決定情報を生成する
ことを特徴とする。
【手続補正３】
【補正対象書類名】明細書
【補正対象項目名】０００９
【補正方法】変更
【補正の内容】
【０００９】
上記第１の観点にかかるスロットマシンでは、遊技制御手段は、事前決定手段による決定結果の全てを外部に報知していない。このため、事前決定情報に基づいて事前決定の結果を解析されるなどの不正を防ぐことができる。一方、演出制御手段は、遊技制御手段から送信された事前決定情報に基づいて、事前決定の結果の一部を知ることができるようになるので、独自に適切な演出を行うことができるようになる。
上記第１の観点にかかるスロットマシンにおいて、
前記事前決定手段によって許容される入賞態様が、複数種類ある場合には、
前記所定条件は、前記事前決定手段が前記複数種類の入賞態様のうちの所定の種類の入賞態様を許容したゲームにおいて所定の確率で成立するものとすることができ、
前記事前決定情報生成手段は、前記所定条件が成立したゲームにおいて、前記事前決定手段が前記所定の種類の入賞態様を許容していないときに生成する事前決定情報と同一の事前決定情報を生成することができる。
【手続補正４】
【補正対象書類名】明細書
【補正対象項目名】００１０
【補正方法】変更
【補正の内容】
【００１０】
上記目的を達成するため、本発明の第２の観点にかかるスロットマシンは、
１ゲームに対して賭け数を設定することによりゲームを開始させることが可能となり、可変表示装置の表示結果が導出表示されることにより１ゲームが終了し、該可変表示装置の表示結果に応じて所定の入賞が発生可能であるスロットマシンにおいて、
遊技の進行を制御すると共に、遊技の進行状況に応じた制御情報を送信する手段であって、
１ゲーム毎に、前記入賞の発生を許容するかどうかを事前に決定する事前決定手段と、
前記事前決定手段による決定結果を示す事前決定情報を生成する事前決定情報生成手段と、
前記事前決定情報生成手段の生成した事前決定情報を前記制御情報として前記演出制御手段に送信する事前決定情報送信手段とを含む遊技制御手段と、
前記事前決定情報送信手段から送信された前記事前決定情報を受信し、該受信した事前決定情報に基づいて前記遊技制御手段とは独立して演出手段に演出を行わせる演出制御手段とを備え、
前記事前決定情報送信手段は、所定条件が成立したゲームにおいて前記事前決定手段の決定結果に基づく事前決定情報を送信させず、該所定条件が成立していないゲームにおいて前記事前決定情報を送信させる事前決定情報送信制御手段を含む
ことを特徴とする。
【手続補正５】
【補正対象書類名】明細書
【補正対象項目名】００１１
【補正方法】変更
【補正の内容】
【００１１】
上記第２の観点にかかるスロットマシンでは、遊技制御手段は、事前決定手段による決定結果の全てを外部に報知していない。このため、事前決定情報に基づいて事前決定の結果を解析されるなどの不正を防ぐことができる。一方、演出制御手段は、遊技制御手段から送信された事前決定情報に基づいて、事前決定の結果の一部を知ることができるようになるので、独自に適切な演出を行うことができるようになる。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】０１１０
【補正方法】削除
【補正の内容】
【手続補正１１】
【補正対象書類名】明細書
【補正対象項目名】０１１１
【補正方法】変更
【補正の内容】
【０１１１】
請求項３の発明によれば、事前決定の結果の全てを外部に出力している訳ではないので、事前決定の結果を解析されるなどの不正を防ぐことができると共に、演出制御手段は、特定可能な他の事前決定の結果に基づいて、独自に演出を行うことができるようになる。
【手続補正１２】
【補正対象書類名】明細書
【補正対象項目名】０１１５
【補正方法】削除
【補正の内容】
【手続補正１３】
【補正対象書類名】明細書
【補正対象項目名】０１１６
【補正方法】削除
【補正の内容】